(57)【要約】【課題】熱交換器に液相の熱媒を用いる場合であっても熱媒の出口温度の変動を抑制することができる白煙防止システムを提供する。【解決手段】排煙処理装置と煙突との間に接続され、前記排煙処理装置から供給される排ガスを液相の熱媒からの熱によって加熱する熱交換器と、前記熱交換器に対して前記排ガスの一部をバイパスさせるバイパス部と、を有する。【選択図】図１
2020134099.tif 000002
【特許請求の範囲】
【請求項１】
排煙処理装置と煙突との間に接続され、前記排煙処理装置から供給される排ガスを液相の熱媒からの熱によって加熱する熱交換器と、
前記熱交換器に対して前記排ガスの一部をバイパスさせるバイパス部と、
を有する白煙防止システム。
【請求項２】
前記バイパス部に設けられ、前記バイパスさせる排ガスの量を変更可能な排ガスバイパス流量制御部を有する請求項１に記載の白煙防止システム。
【請求項３】
前記熱交換器の出口側における前記熱媒の温度である熱媒出口温度を取得する熱媒出口温度取得部を有し、
前記排ガスバイパス流量制御部は、前記熱媒出口温度が目標温度となるように前記排ガスの量を制御する
請求項２に記載の白煙防止システム。
【請求項４】
前記煙突から排出される排ガスの温度を表す煙突出口排ガス温度を取得する煙突出口排ガス温度取得部を有し、
前記排ガスバイパス流量制御部は、前記熱媒の量が目標流量に対応した流量となっても、前記熱媒出口温度が目標温度に達していない場合に前記煙突出口排ガス温度が目標温度となるように前記排ガスの量を制御する
請求項３に記載の白煙防止システム。
【請求項５】
前記熱交換器に流れる前記熱媒の流量が、目標熱媒流量に対応した流量となるように前記熱交換器に流れる熱媒の量を制御する熱媒流量制御部
を有する請求項１から請求項４のうちいずれか１項に記載の白煙防止システム。
【請求項６】
請求項１から請求項５のうちいずれか１項に記載の白煙防止システムを備える焼却設備。
【請求項７】
排煙処理装置と煙突との間に接続され、前記排煙処理装置から供給される排ガスを液相の熱媒からの熱によって加熱する熱交換器に対して前記排ガスの一部をバイパスさせる
白煙防止方法。
【発明の詳細な説明】
【技術分野】
【０００１】
本発明は、白煙防止システム、焼却設備および白煙防止方法に関する。
【背景技術】
【０００２】
スチームを熱源として、間接式熱交換器により排煙処理装置出口から排出される水分を含んだ排ガスを加熱することで、当該排ガスが煙突から出た時に白煙となることを防止する技術がある（例えば、特許文献１参照）。スチームが熱交換後にドレンとなる温度は、圧力により一定である。すなわち、排ガスを加熱した場合、スチームからドレンの温度は変わらないが、気相から液相に状態変化する時に発生する凝縮熱で加熱する。このような技術では、白煙防止に必要な熱量分だけスチームを熱交換器に供給することで、排ガスを所定温度に加熱することができる。
【先行技術文献】
【特許文献】
【０００３】
【特許文献１】特開平０６−０５０５２６号公報
【発明の概要】
【発明が解決しようとする課題】
【０００４】
しかしながら、近年では、熱媒を用いて液相のままで加熱対象物を加熱する方式も利用されている。特許文献１では、スチーム（気相）を用いて排ガスを加熱する方式であるが、熱媒を用いて液相で加熱する方式を、白煙防止のシステムに用い、熱媒を熱源とし液相で加熱する場合、熱媒の供給量だけを制御して排ガス温度を所定温度に加熱しようとすると、熱媒の出口温度が一定とならない。従来のようにスチームを用いて排ガスを加熱すると、スチーム（気相）からドレン（液相）に状態変化するが、スチームからドレンの温度は変化しないため、熱交換器のドレンの出口側温度は変化しないため、排ガスを所定の温度に加熱する制御が行いやすい。これに対し、熱媒を用いて加熱する方式では、排ガスを加熱すると、熱媒は液相のままであることから、熱媒の温度が下がる。そのため、熱媒の出口温度が下がることから、熱媒の出口温度が下がることも考慮して、排ガスの温度を所定の温度に加熱しなければならず、また、排ガスの入口温度は必ずしも一定ではないため、熱媒の供給量の制御だけで、排ガスの出口温度制御と熱媒の出口温度制御の両方を成立させることは難しい。
また、熱媒の出口温度が低い場合には、熱媒の粘度が高くなり、熱媒の循環ポンプの消費電力が大きくなってしまう。一方、熱媒の出口温度が高い場合には、熱媒の単位量当たりの放熱量が少ないため熱媒循環量を多くする必要があり、循環ポンプの消費電力が大きくなる問題がある。そのため、熱媒の温度がなるべく変動しないことが望ましい。
【０００５】
本発明は、このような事情に鑑みてなされたもので、その目的は、熱交換器に液相の熱媒を用いる場合であっても熱媒の出口温度の変動を抑制することができる白煙防止システム、焼却設備および白煙防止方法を提供することにある。
【課題を解決するための手段】
【０００６】
上述した課題を解決するために、本発明の一態様は、排煙処理装置と煙突との間の経路に接続され、前記排煙処理装置から供給される排ガスを液相の熱媒からの熱によって加熱する熱交換器と、前記熱交換器に対して前記排ガスの一部をバイパスさせるバイパス部と、を有する白煙防止システムである。
また、本発明の一態様は、排煙処理装置と煙突との間の経路に接続され、前記排煙処理装置から供給される排ガスを液相の熱媒からの熱によって加熱する熱交換器に対して前記排ガスの一部をバイパスさせる白煙防止方法である。
【発明の効果】
【０００７】
以上説明したように、この発明によれば、熱交換器に排ガスのバイパス経路を設けるようにしたので、熱交換器の出口側の熱媒の温度の変動を抑制することができ、これにより、循環する熱媒の温度の変動が抑制されることから、熱媒を循環させる循環ポンプを効率的に運転することができる。
【図面の簡単な説明】
【０００８】
【図１】この発明の一実施形態による白煙防止システムの構成を示す概略ブロック図である。
【図２】制御盤１００の機能を説明する概略ブロック図である。
【図３】白煙防止システム１の動作を説明するフローチャートである。
【発明を実施するための形態】
【０００９】
図１は、この発明の一実施形態による白煙防止システムの構成を示す概略ブロック図である。
この図において、白煙防止システム１は、経路１１、白煙防止システム入口排ガス温度センサ１５、白煙防止システム入口排ガス流量センサ１６、白煙防止システム入口排ガス湿度センサ１７、熱交換器２０、熱媒２２、熱媒循環ポンプ２４、熱媒流量制御装置２５、熱媒流量センサ２６、熱媒入口温度センサ２７、熱媒出口温度センサ２８、バイパス部３０、排ガスバイパス流量制御装置３１、バイパス流量センサ３２、経路４０、煙突４１、煙突出口排ガス温度センサ４２、大気温度センサ５０、大気湿度センサ５１、制御盤１００を含む。このような白煙防止システム１は、排煙処理装置１０の後段に設けられる。また、白煙防止システム１は、例えば焼却設備に備えられるようにしてもよい。この場合、例えば、白煙防止システム１は、図示しない焼却炉の排ガスを処理する排煙処理装置１０の後段に設けられるようにしてもよい。
【００１０】
排煙処理装置１０は、焼却炉などの外部装置から供給される排ガスから、粉塵・不純物等の所定の物質を除去し、除去処理が行われた後の排ガスを経路１１を介して熱交換器２０に供給する。焼却炉は、例えば、脱水処理された後の汚泥を焼却する。
白煙防止システム入口排ガス温度センサ１５は、経路１１に設けられ、排煙処理装置１０から排出される排ガスの温度（白煙防止システム入口排ガス温度）を測定し、測定結果を制御盤１００に出力する。
白煙防止システム入口排ガス流量センサ１６は、経路１１に設けられ、排煙処理装置１０から排出される排ガスの流量（白煙防止システム入口排ガス流量）を測定し、測定結果を制御盤１００に出力する。
白煙防止システム入口排ガス湿度センサ１７は、経路１１に設けられ、排煙処理装置１０から排出される排ガスの湿度（白煙防止システム入口排ガス湿度）を測定し、測定結果を制御盤１００に出力する。
熱交換器２０は、排煙処理装置１０と煙突４１との間の経路に接続され、排煙処理装置１０から供給される排ガスを液相の熱媒からの熱によって加熱する。
熱交換器２０は、経路１１から供給される排ガスを加熱した後、熱交換器２０と煙突４１とを接続する経路４０を介して、加熱した後の排ガスを煙突に供給する。
熱交換器２０は、排煙処理装置１０から供給される排ガスを加熱してから煙突４１に供給することで、煙突４１から排出される排ガスの白煙を防止する。
【００１１】
熱交換器２０には、熱媒２２が供給される。熱媒２２は、例えば合成系有機熱媒油が用いられる。熱媒２２は、液相の状態で熱交換器２０に供給され、熱交換器２０において熱交換した後、液相の状態で熱交換器２０から排出される。熱媒２２は、熱交換器２０において熱交換を行った後であって状態変化はせず、熱交換前の温度よりも熱交換後の温度の方が低い。熱交換器２０から排出された熱媒２２は、外部の加熱装置によって加熱された後、熱交換器２０に供給される。
【００１２】
熱媒循環ポンプ２４は、熱媒を熱交換器２０に供給する。この熱媒循環ポンプ２４は、熱媒を加熱する熱媒ボイラから、加熱された後の熱媒を熱交換器２０に供給し、熱交換器２０から排出される熱媒を熱媒ボイラに戻すように循環させることができる。
熱媒流量制御装置２５は、熱交換器２０に流れる熱媒２２の流量が、目標熱媒流量に対応した流量となるように熱交換器２０に流れる熱媒の量を制御する。熱媒流量制御装置２５は、煙突から排出される排ガスの温度である煙突出口温度が目標温度となるように熱媒の量を変更する。
熱媒流量制御装置２５は、例えば、制御盤１００からの指令値に応じて開度を変更することで流量を調整する流量調整弁を用いることができる。
熱媒流量センサ２６は、熱交換器２０に供給される熱媒２２の流量を測定し、測定結果を制御盤１００に出力する。
熱媒入口温度センサ２７は、熱交換器２０の入口側における熱媒２２の温度である熱媒入口温度を測定し、測定結果を制御盤１００に出力する。
熱媒出口温度センサ２８は、熱交換器２０の出口側における熱媒の温度である熱媒出口温度を測定し、測定結果を制御盤１００に出力する。
【００１３】
バイパス部３０は、熱交換器２０に対して排ガスの一部をバイパスさせる。バイパス部３０を流れる排ガスは、経路４０で熱交換器２０を出た排ガスと混合し、煙突を出るまでに均一化する。
排ガスバイパス流量制御装置３１は、バイパス部３０に設けられ、熱交換器２０をバイパスさせる排ガスの流量を制御する。例えば、排ガスバイパス流量制御装置３１は、熱媒出口温度センサ２８によって測定された熱媒出口温度が目標温度（目標熱媒出口温度）となるように排ガスの量を制御する。また、排ガスバイパス流量制御装置３１は、熱媒２２の流量が目標流量に対応した流量となっても、熱媒出口温度が目標温度に達していない場合に熱媒出口温度が目標温度となるように排ガスの量を制御する。
排ガスバイパス流量制御装置３１は、例えば、制御盤１００からの熱媒出口温度判定部１０５の判定結果に応じて開度を変更することで流量を調整する流量調整弁を用いることができる。
バイパス流量センサ３２は、バイパス部３０に供給される排ガスの流量を測定し、測定結果を制御盤１００に出力する。
【００１４】
経路４０は、熱交換器２０の排ガス出口側の経路であり、その経路の途中のいずれかの箇所において、バイパス部３０の経路が接続されており、熱交換器２０から排出される排ガスと、バイパス部３０を経由して供給される排ガスとが混合し、混合された後の排ガスを煙突４１に供給する。
煙突４１は、経路４０を介して供給された排ガスを外部に排出する。
煙突４１には、煙突出口排ガス温度センサ４２が設けられる。煙突出口排ガス温度センサ４２は、煙突４１から排出される排ガスの温度を表す排ガス出口温度を測定し、測定結果を制御盤１００に出力する。
【００１５】
大気温度センサ５０は、煙突４１の周辺の外気温を測定し、測定結果を制御盤１００に出力する。
大気湿度センサ５１は、煙突４１の周辺の外気の湿度を測定し、測定結果を制御盤１００に出力する。
【００１６】
制御盤１００は、白煙防止システム１の各部を制御する。制御盤１００は、例えば、コンピュータ等によって構成される。
図２は、制御盤１００の機能を説明する概略ブロック図である。
測定結果取得部１０１は、白煙防止システム１の各センサから測定結果を取得する。
熱媒流量算出部１０２は、目標煙突出口温度算出部１０２１を有し、熱媒流量算出部１０２は、必要な熱媒流量を算出する。
目標煙突出口温度算出部１０２１は、大気温度、大気湿度、白煙防止システム入口の排ガスの温度、白煙防止システム入口の排ガスの湿度、と、飽和蒸気量のグラフデータより、白煙が生じない煙突出口温度である目標煙突出口温度を算出する。この算出方法は、白煙を防止するための目標煙突出口温度を算出する一般的な算出方法を用いることができる。飽和蒸気量のグラフデータは、水蒸気分圧と空気温度との関係を表すデータである。この飽和蒸気量のグラフデータに基づいて、目標煙突出口温度（空気温度）が、飽和水蒸気圧線を越えないようにすることで、白煙を防止することができる。
熱媒流量算出部１０２は、熱媒の入口温度、出口温度（設定値）、排煙処理装置出口の排ガス温度、流量、目標煙突出口温度算出部１０２１によって算出された目標煙突出口温度から、必要な熱量を算出し、この熱量を確保するために必要な目標熱媒流量を算出する。必要な熱量を算出する手法は、一般的な算出手法を用いることができる。必要な熱量と目標熱媒流量との関係は、予め把握しておき、データベースやテーブル等に記憶しておくようにしてもよい。
【００１７】
記憶部１０３は、熱媒出口温度の設定値（目標熱媒出口温度）を記憶する。この目標熱媒出口温度は、予め定められており、記憶部１０３に書き込まれる。
記憶部１０３は、記憶媒体、例えば、ＨＤＤ（Ｈａｒｄ  Ｄｉｓｋ  Ｄｒｉｖｅ）、フラッシュメモリ、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）、ＲＡＭ（Ｒａｎｄｏｍ  Ａｃｃｅｓｓ  ｒｅａｄ／ｗｒｉｔｅ  Ｍｅｍｏｒｙ）、ＲＯＭ（Ｒｅａｄ  Ｏｎｌｙ  Ｍｅｍｏｒｙ）、またはこれらの記憶媒体の任意の組み合わせによって構成される。
この記憶部１０３は、例えば、不揮発性メモリを用いることができる。
熱媒流量判定部１０４は、目標熱媒流量と、熱媒流量センサ２６によって測定された熱媒流量との大小関係を判定する。
熱媒出口温度判定部１０５は、目標熱媒出口温度と、熱媒出口温度センサ２８によって測定された熱媒出口温度とのうちいずれか大きいかを判定する。
制御部１０６は、制御盤１００の各部を制御する。また、制御部１０６は、熱媒流量判定部１０４の判定結果に応じて、熱媒流量制御装置２５に熱媒流量を増やすまたは減らす指示を通信部１０７から送信する。また、制御部１０６は、熱媒出口温度判定部１０５の判定結果に応じて、排ガスバイパス流量制御装置３１に、バイパスさせる排ガスの流量を増やすまたは減らす指示を通信部１０７から送信する。
通信部１０７は、白煙防止システム１内の各部と通信を行う。
【００１８】
次に、図１の白煙防止システム１の動作について説明する。
図３は、白煙防止システム１の動作を説明するフローチャートである。
制御盤１００の測定結果取得部１０１は、大気温度センサ５０によって測定された外気温の測定結果と、大気湿度センサ５１によって測定された外気の湿度の測定結果とを取得し（ステップＳ１０１）、白煙防止システム入口排ガス温度センサ１５によって測定された排煙処理装置１０の出口側における排ガス温度と白煙防止システム入口排ガス湿度センサ１７によって測定された排煙処理装置１０の出口側における排ガス湿度を取得する（ステップＳ１０２）。また、測定結果取得部１０１は、白煙防止システム入口排ガス流量センサ１６によって測定された出口排ガス流量と、熱媒入口温度センサ２７によって測定された熱媒入口温度を取得する（ステップＳ１０３、ステップＳ１０４）。
なお、排煙処理装置１０で湿式処理した場合は、出口排ガスが飽和水蒸気状態となり排煙処理装置出口排ガス温度が決まれば排煙処理塔出口排ガス湿度が一意に決まる関係が一般に知られている。経路１１に於いて、排ガス温度等が変わる装置を経由したり、他の排ガスが合流したりするようなことが無く、直接熱交換器２０に供給される場合は、白煙防止システム入口排ガス湿度センサ１７を設置しなくてもよい。
【００１９】
次に、制御盤１００の熱媒流量算出部１０２は、熱媒出口温度の設定値（目標熱媒出口温度）を記憶部１０３から読み出し（ステップＳ１０５）、白煙が出ない煙突出口温度である目標煙突出口温度を演算し、必要な熱媒流量（目標熱媒流量）を算出する（ステップＳ１０６）。
測定結果取得部１０１は、熱媒流量センサ２６によって測定された熱媒流量を取得する（ステップＳ１０７）。
熱媒流量判定部１０４は、目標熱媒流量と、熱媒流量センサ２６によって測定された熱媒流量とのうちいずれか大きいかを判定する（ステップＳ１０８）。
熱媒流量制御装置２５は、熱媒流量判定部１０４の判定結果に基づいて、目標熱媒流量より測定された熱媒流量の方が大きい場合には、測定された熱媒流量が目標熱媒流量になるように熱媒流量を減らす（ステップＳ１０９）。
【００２０】
一方、熱媒流量制御装置２５は、熱媒流量判定部１０４の判定結果に基づいて、目標熱媒流量より測定された熱媒流量の方が小さい場合には、測定された熱媒流量が目標熱媒流量になるように熱媒流量を増やす（ステップＳ１１０）。
【００２１】
そして、目標熱媒流量と測定された熱媒流量が同じである、あるいはその差が所定の範囲に収まる程度である場合、測定結果取得部１０１は、熱媒出口温度センサ２８から熱媒出口温度を取得する（ステップＳ１１１）。
熱媒出口温度判定部１０５は、目標熱媒出口温度と、熱媒出口温度センサ２８によって測定された熱媒出口温度とのうちいずれか大きいかを判定する（ステップＳ１１２）。
排ガスバイパス流量制御装置３１は、熱媒出口温度判定部１０５の判定結果に基づいて、目標熱媒出口温度より測定された熱媒出口温度の方が大きい場合には、測定された熱媒出口温度が目標熱媒出口温度になるようにバイパスさせる排ガスの流量を減らす（ステップＳ１１３）。
【００２２】
一方、排ガスバイパス流量制御装置３１は、熱媒出口温度判定部１０５の判定結果に基づいて、目標熱媒出口温度より測定された熱媒出口温度の方が小さい場合には、測定された熱媒出口温度が目標熱媒出口温度になるようにバイパスさせる排ガスの流量を増やす（ステップＳ１０５）。
【００２３】
そして、目標熱媒出口温度と測定された熱媒出口温度が同じであるあるいはその差が所定の範囲に収まる程度である場合、処理をステップＳ１０６に移行し、熱媒流量算出部１０２は、必要な熱媒流量を算出する。
【００２４】
以上説明したように、この実施形態によれば、白煙防止のための熱交換器２０に排ガスの白煙を防止するために必要な熱媒を熱媒流量制御装置２５によって供給する。熱媒の流量は、白煙防止システムの入口排ガス流量、温度、湿度、大気の温度、湿度等の条件、熱媒の入口温度と目標熱媒出口温度から算出する。また、排ガスバイパス流量制御装置３１によりバイパスさせる排ガスの流量を制御することで、熱交換器２０に流れる排ガスの量を減らす、あるいは増やすようにすることで、熱媒出口温度が所定温度となるように制御する。これにより、熱媒出口温度の変動を抑制することができる。
この結果、熱交換器２０を通過した排ガスとバイパス経路を通った排ガスが混合した後の排ガス温度は、白煙を生じない温度となるとともに、熱交換器２０の熱媒の出口温度を所定温度に維持することができる。
【００２５】
また、熱交換器２０から排出された熱媒を他の用途で使用された熱媒と一緒に熱媒ボイラ等で加熱する場合であっても、熱交換器２０から排出された熱媒の温度の変動が抑制されていることから、当該熱媒ボイラ等への入口温度、供給量が変動してしまうことによる効率的な加熱ができなくなることを防止し、熱媒を効率的に加熱することができる。
【００２６】
一方、上述した実施形態において、排ガスバイパス流量制御では、熱媒出口温度を熱媒出口温度の設定値にすることを目標として制御する場合について説明したが、ステップＳ１１２において、煙突出口温度をＳ１０６で算出した白煙が出ない煙突出口排ガス温度にすることを目標として制御してもよい。この場合、制御部１０６が、ステップＳ１１２において、煙突出口温度をＳ１０６で算出した白煙が出ない煙突出口排ガス温度にすることを目標とし、煙突出口温度が煙突出口排ガス温度（目標値）より高い場合に、バイパスさせる排ガス流量を増やし、煙突出口温度が煙突出口排ガス温度（目標値）より低い場合に、バイパスさせる排ガス流量を減らすように制御してもよい。このような制御を行った場合であっても、結果として熱媒出口温度は目標熱媒出口温度とすることができる。
【００２７】
上述した実施形態における制御盤１００をコンピュータで実現するようにしてもよい。その場合、この機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよく、ＦＰＧＡ（Field Programmable Gate Array）等のプログラマブルロジックデバイスを用いて実現されるものであってもよい。
【００２８】
以上、この発明の実施形態について図面を参照して詳述してきたが、具体的な構成はこの実施形態に限られるものではなく、この発明の要旨を逸脱しない範囲の設計等も含まれる。
【符号の説明】
【００２９】
１…白煙防止システム、１０…排煙処理装置、１１…経路、１５…白煙防止システム入口排ガス温度センサ、１６…白煙防止システム入口排ガス流量センサ、１７…白煙防止システム入口排ガス湿度センサ、２０…熱交換器、２２…熱媒、２４…熱媒循環ポンプ、２５…熱媒流量制御装置、２６…熱媒流量センサ、２７…熱媒入口温度センサ、２８…熱媒出口温度センサ、３０…バイパス部、３１…排ガスバイパス流量制御装置、３２…バイパス流量センサ、４０…経路、４１…煙突、４２…煙突出口排ガス温度センサ、５０…大気温度センサ、５１…大気湿度センサ、１００…制御盤、１０１…測定結果取得部、１０２…熱媒流量算出部、１０３…記憶部、１０４…熱媒流量判定部、１０５…熱媒出口温度判定部、１０６…制御部、１０７…通信部
【図１】
2020134099.tif 000003
【図２】
2020134099.tif 000004
【図３】
2020134099.tif 000005
【手続補正書】
【提出日】令和2年2月6日(2020.2.6)
【手続補正１】
【補正対象書類名】特許請求の範囲
【補正対象項目名】全文
【補正方法】変更
【補正の内容】
【特許請求の範囲】
【請求項１】
排煙処理装置と煙突との間に接続され、前記排煙処理装置から供給される排ガスを液相の熱媒からの熱によって加熱する熱交換器と、
前記熱交換器に対して前記排煙処理装置から供給された排ガスの一部をバイパスさせるバイパス部と、
を有する白煙防止システム。
【請求項２】
前記バイパス部に設けられ、前記バイパスさせる排ガスの量を変更可能な排ガスバイパス流量制御部を有する請求項１に記載の白煙防止システム。
【請求項３】
前記熱交換器の出口側における前記熱媒の温度である熱媒出口温度を取得する熱媒出口温度取得部を有し、
前記排ガスバイパス流量制御部は、前記熱媒出口温度が目標温度となるように前記排ガスの量を制御する
請求項２に記載の白煙防止システム。
【請求項４】
前記煙突から排出される排ガスの温度を表す煙突出口排ガス温度を取得する煙突出口排ガス温度取得部を有し、
前記排ガスバイパス流量制御部は、前記熱媒の量が目標流量に対応した流量となっても、前記熱媒出口温度が目標温度に達していない場合に前記煙突出口排ガス温度が目標温度となるように前記排ガスの量を制御する
請求項３に記載の白煙防止システム。
【請求項５】
前記熱交換器に流れる前記熱媒の流量が、目標熱媒流量に対応した流量となるように前記熱交換器に流れる熱媒の量を制御する熱媒流量制御部
を有する請求項１から請求項４のうちいずれか１項に記載の白煙防止システム。
【請求項６】
請求項１から請求項５のうちいずれか１項に記載の白煙防止システムを備える焼却設備。
【請求項７】
排煙処理装置と煙突との間に接続され、前記排煙処理装置から供給される排ガスを液相の熱媒からの熱によって加熱する熱交換器に対して前記排煙処理装置から供給された排ガスの一部をバイパスさせる
白煙防止方法。
【手続補正２】
【補正対象書類名】明細書
【補正対象項目名】０００６
【補正方法】変更
【補正の内容】
【０００６】
上述した課題を解決するために、本発明の一態様は、排煙処理装置と煙突との間に接続され、前記排煙処理装置から供給される排ガスを液相の熱媒からの熱によって加熱する熱交換器と、前記熱交換器に対して前記排煙処理装置から供給された排ガスの一部をバイパスさせるバイパス部と、を有する白煙防止システムである。
また、本発明の一態様は、排煙処理装置と煙突との間に接続され、前記排煙処理装置から供給される排ガスを液相の熱媒からの熱によって加熱する熱交換器に対して前記排煙処理装置から供給された排ガスの一部をバイパスさせる白煙防止方法である。